(57)【要約】      （修正有）【課題】被刺繍体に傷を付けることなく、被刺繍体の風合いを損なうことなく、被刺繍体に取り付け跡を残すことなく、被刺繍体を展張保持する刺繍枠を提供する。【解決手段】第１保持体と第２保持体とを嵌合させることなく、磁石の磁力により第１保持体の内周壁面と第２保持体との間で被刺繍体を挟持して保持させる。第１保持体の上に被刺繍体を載置し、第１保持体の内周壁面において周方向に沿って第２保持体を対向配置する。第１保持体又は第２保持体の少なくとも一方には磁石が設けられており、第２保持体は磁石の磁力により第１保持体の内周壁面に吸着される。【選択図】図１
0003181654.tif 000002
【実用新案登録請求の範囲】
【請求項１】
枠状に形成された第１保持体と、
前記第１保持体の内周壁面において周方向に沿って対向配置される１乃至複数の第２保持体と、
前記第１保持体又は前記第２保持体の少なくとも一方に設けられる磁石と
を備えてなり、
前記第１保持体の内周壁面に前記第２保持体を前記磁石の磁力により吸着して、シート状をなす被刺繍体を、前記第１保持体の内周壁面と前記第２保持体との間に挟持して保持する刺繍枠。
【請求項２】
前記第２保持体は長尺の板状に形成されてなり、前記第１保持体の内周壁面に沿って変形され該内周壁面と面接触することを特徴とする請求項１に記載の刺繍枠。
【請求項３】
前記第１保持体の外周に配置される枠状の第３保持体をさらに備えてなり、該第３保持体は、前記第１保持体に対して互いの周壁面が重なり合うように嵌め込まれて取り付けられることを特徴とする請求項１又は２に記載の刺繍枠。
【考案の詳細な説明】
【技術分野】
【０００１】
本考案は、刺繍ミシンにより生地等の被刺繍体に所要の刺繍を施すために、被刺繍体を展張保持した状態で刺繍ミシンの刺繍枠駆動部に取り付けられる刺繍枠に関する。
【背景技術】
【０００２】
刺繍ミシンでは、被刺繍体に刺繍を施すために刺繍枠が用いられている。刺繍枠は、例えば生地（被刺繍布と記す）を展張保持した状態で刺繍ミシンの刺繍枠駆動部に取り付けることのできるようになっている。従来の刺繍枠は、環状の外枠と、該外枠の内側に互いの周壁面が重ね合わされるようにして嵌め込むことが可能な、前記外枠と同様に環状であって該外枠より径の小さい内枠とにより構成されてなり、これら外枠と内枠とで被刺繍布を挟持して展張保持するものが知られている。
【０００３】
また、こうした従来の刺繍枠、つまり嵌め込み式の外枠と内枠とで被刺繍布を挟み込む所謂リングタイプの刺繍枠において、外枠は環状をなす本体の一部が径方向において切り離されており、その切り離されて対向する開放端を跨るように調整ネジが設けられる。この調整ネジを回転させることによって、前記開放端の間隔を調整して当該外枠の周方向の長さを変更することが可能であり、これにより被刺繍布の厚さの大小に対応して被刺繍布を強固に刺繍枠に展張保持させることのできるようにしている。この調整は被刺繍布を刺繍枠に展張保持させる前に予め行われるが、被刺繍布を刺繍枠に強固に保持させるために、外枠の周方向の長さは内枠に対する該外枠の嵌め合いが強めとなるように調整される。
【０００４】
このような従来の刺繍枠の一例を挙げると、例えば下記に示す特許文献１に記載の刺繍枠などがある。この特許文献１には、さらに外枠及び内枠に嵌合時に互いに重なるフランジがそれぞれ設けられており、被刺繍布を外枠と内枠との周壁面間及び前記フランジ間に通すことによってクランク状に折り曲げて挟持させるようにした刺繍枠が示されている。この場合、被刺繍布はフランジによっても押さえ付けられて挟持される。
【０００５】
従来の刺繍枠に被刺繍布を展張保持させるには、予め周方向の長さが被刺繍布の厚さの大小に応じて調整された外枠の上に刺繍面を上向きにして被刺繍布を載置しておき、次に外枠の内側に内枠を嵌め込めばよい。なお、この明細書において、刺繍枠により展張保持され得る被刺繍体とは刺繍を施すことの可能な面状（シート状）のものを指し、例えば布などの他にも、ビニール、紙、不織布等のあらゆる素材からなるものであってよい。
【先行技術文献】
【特許文献】
【０００６】
【特許文献１】特開平11−181666号公報
【考案の概要】
【考案が解決しようとする課題】
【０００７】
上述したように、従来の刺繍枠では被刺繍布を展張保持するのに、周方向の長さが被刺繍布の厚さの大小にあわせて調整済みである外枠の内側に内枠を嵌め込まなければならず、それ故、外枠の内側に内枠を嵌め込むときに被刺繍布が外枠の内周面と内枠の外周面に強く擦れてしまい、被刺繍布に傷が付いたり、被刺繍布の風合いが損なわれたりする恐れがあった。また、被刺繍布は刺繍枠に外枠と内枠との周壁面間及び前記フランジ間にてクランク状に折り曲げられて刺繍枠に保持されるが故に、刺繍枠への取り付け跡が被刺繍布に付きやすい（折り曲げ跡が残りやすい）、という問題があった。
【０００８】
本考案は上述の点に鑑みてなされたもので、被刺繍体に傷を付けることなく、また被刺繍体の風合いを損なうこともなく、さらには被刺繍体に取り付け跡を残すことなしに、被刺繍体を展張保持することのできる刺繍枠を提供することを目的とする。
【課題を解決するための手段】
【０００９】
本考案に係る刺繍枠は、枠状に形成された第１保持体と、前記第１保持体の内周壁面において周方向に沿って対向配置される１乃至複数の第２保持体と、前記第１保持体又は前記第２保持体の少なくとも一方に設けられる磁石とを備えてなり、前記第１保持体の内周壁面に前記第２保持体を前記磁石の磁力により吸着して、シート状をなす被刺繍体を、前記第１保持体の内周壁面と前記第２保持体との間に挟持して保持する。
【００１０】
本考案によれば、シート状をなす被刺繍体を刺繍枠に取り付けるときは、先ず第１保持体の上に被刺繍体を載置しておき、次に第１保持体の内周壁面において周方向に沿って第２保持体を対向配置する。このとき、第１保持体又は第２保持体の少なくとも一方には磁石が設けられていることから、第２保持体は磁石の磁力により第１保持体の内周壁面に吸着される。すなわち、本考案では、刺繍枠に被刺繍体を保持させる際に第１保持体と第２保持体とを嵌合させていないことから、被刺繍体は第１保持体及び第２保持体に対して擦れることがない。したがって、被刺繍体に傷が付いたり、被刺繍体の風合いが損なわれたりすることがない。また、第１保持体の内周壁面と第２保持体との間で被刺繍体を挟持して保持するようにしたことから、刺繍枠への取り付け跡が付いてしまうことがない。
【００１１】
本考案の好ましい実施形態として、前記第２保持体は長尺の板状に形成されてなり、前記第１保持体の内周壁面に沿って変形され該内周壁面と面接触することを特徴とする。これによれば、被刺繍体を刺繍枠に取り付けるときに、第２保持体を第１保持体の内周壁面に沿わせながら第１保持体に吸着させることから、第１保持体の内周壁面と第２保持体との面接触の範囲を確保でき、被刺繍体を強固に保持できる、という利点がある。また、第１保持体の内周壁面に沿って変形するため、第１保持体の形状が異なっていても対応することができ、第１保持体の形状にあわせて複数種類の第２保持体を用意する必要がない。さらに、第２保持体は長尺の板状に形成されるが故に保管の際に嵩張ることがない。
【００１２】
本考案の好ましい実施形態として、前記第１保持体の外周に配置される枠状の第３保持体をさらに備えてなり、該第３保持体は、前記第１保持体に対して互いの周壁面が重なり合うように嵌め込まれて取り付けられることを特徴とする。これによれば、被刺繍体とは別に第１保持体と第３保持体とにより芯地を展張保持させることが可能となる。第１保持体と第３保持体とにより展張保持される芯地は刺繍枠に強固に保持することができ、この芯地によって被刺繍体は下面から支えられる。そのため、例えば被刺繍体が刺繍時の刺繍枠の移動によって変形し易いものである場合や、刺繍の進行に伴って縫い縮み等の生じ易いものである場合にも適正に刺繍を施すことができる。
【考案の効果】
【００１３】
本考案によれば、第１保持体と第２保持体とを嵌合させることなく、磁石の磁力により第１保持体の内周壁面と第２保持体との間で被刺繍体を挟持して保持させるようにしたことから、被刺繍体に傷を付けることなく、また被刺繍体の風合いを損なうこともなく、さらには被刺繍体に取り付け跡を残すことなしに、被刺繍体を刺繍枠に展張保持することができる、という効果を奏する。
【図面の簡単な説明】
【００１４】
【図１】本考案に係る刺繍枠の一実施形態を示す斜視図である。
【図２】本考案に係る刺繍枠の一実施形態を示す平面図である。
【図３】本考案に係る刺繍枠の一実施形態を示す側断面図である。
【図４】本考案に係る刺繍枠の第２の実施形態を示す斜視図である。
【図５】本考案に係る刺繍枠の第２の実施形態を示す平面図である。
【図６】本考案に係る刺繍枠の第２の実施形態を示す側断面図である。
【図７】本考案に係る刺繍枠の第３の実施形態を示す斜視図である。
【図８】本考案に係る刺繍枠の第３の実施形態を示す平面図である。
【図９】本考案に係る刺繍枠の第３の実施形態を示す側断面図である。
【図１０】第２保持体の別の実施形態を示す平面図である。
【図１１】第２保持体のさらに別の実施形態を示す平面図である。
【考案を実施するための形態】
【００１５】
以下、この考案の実施の形態を添付図面に従って詳細に説明する。図１は本考案に係る刺繍枠の一実施形態を示す斜視図であり、図２は本考案に係る刺繍枠の一実施形態を示す平面図であり、図３は本考案に係る刺繍枠の一実施形態を示す側断面図である。これら図１乃至図３に示した実施形態の刺繍枠は、１つの第１保持体１と１乃至複数の第２保持体２（ここでは一例として２つのものを例に挙げた）とにより構成されてなり、この第１保持体１と２つの第２保持体２とによって被刺繍布Ｈを展張保持するようになっている。
【００１６】
第１保持体１は、例えば合成樹脂などを材質として環状（又は枠状とも言う）に成形してある。ただし、第１保持体１は少なくとも刺繍ミシンの刺繍枠駆動部に取り付けられて刺繍を施すときでも、容易には変形しない程度の剛性を有する。また、第１保持体１はその断面形状が略矩形をなすようにして、そして少なくともその内周面は凹凸等のない平面状に成形される。この第１保持体１の内周面には、複数の磁石３が周方向に埋設してある。勿論、これに限らず、長尺状又は棒状の１乃至複数の磁石３が第１保持体１の周方向に沿って埋設してあってもよい。
【００１７】
一方、第２保持体２は、可撓性のある例えば鋼板等の磁性体金属（あるいは磁性体金属を組み合わせてなる合成樹脂又はゴム等）からなるものであって、ここに示す実施形態では真直ぐな細長い長尺の板状に成形してある。この第２保持体２は可撓性である故に、第１保持体１の内周に沿うように変形可能である。また、各第２保持体２の長尺方向の長さ（全長）は第１保持体１の内周長の半分より少し短く成形してある。すなわち、全ての第２保持体２の長さを足しても、少なくとも第１保持体１の内周長以上の長さとならないように、１乃至複数の第２保持体２の各々の長さは決められている。なお、ここでは、第１保持体１の内周面に磁石３を埋設し、第２保持体２を鋼板等で形成した例を示したがこれに限らず、第２保持体２を前記磁石３に対して反極の磁石で形成するようにしてもよい。あるいは、第１保持体１の内周面に鋼板等を埋設し、第２保持体２を磁石で形成してもよい。すなわち、第１保持体１と第２保持体２とが磁力により吸着することのできる構成であれば、どのようなものであってもよい。
【００１８】
図１乃至図３に示した実施形態の刺繍枠においては、第１保持体１の内周面が被刺繍布Ｈを展張保持する際の保持面の一方として機能し、第２保持体２の一面が被刺繍布Ｈを展張保持する際の保持面のもう一方として機能する。すなわち、この刺繍枠に被刺繍布Ｈを展張保持するときは、先ず第１保持体１の上に被刺繍布Ｈを載置しておき、次に２つの第２保持体２を１つずつ順に互いが重なり合わないようにして、例えば一端側から第１保持体１の内周に沿うようにして変形させながら図２に示すように第１保持体１の内側に配置していく。すると、上述したように、第１保持体１の内周面には複数の磁石３が埋設してある一方で、第２保持体２は鋼板等の磁性体金属からなっていることから、第２保持体２は磁石３の磁力によって第１保持体１の内周に吸着されて、第１保持体１と第２保持体２とは面接触する。これにより被刺繍布Ｈは、図３に示すように第１保持体１の内周面と２つの第２保持体２の外側面との間のみで挟持されて展張保持される。
【００１９】
本考案の刺繍枠によれば、第１保持体１の内側に第２保持体２を第１保持体１の内周に沿うように配置し、第１保持体１の内周面と第２保持体２の外側面との間で磁石３によって被刺繍布Ｈを挟持して展張保持する。すなわち、被刺繍布Ｈを刺繍枠へ取り付ける際に、従来のように外枠に内枠を嵌め込むことがないために、被刺繍布Ｈは第１保持体１及び第２保持体２の各保持面と擦れることがない。したがって、被刺繍布Ｈに傷が付いたり、被刺繍布Ｈの風合いが損なわれたりすることは生じない。また、被刺繍布Ｈを第１保持体１の内周面と２つの第２保持体２の外側面との間のみにおいて磁力によって被刺繍布Ｈを挟持させることにより、従来のように被刺繍布Ｈがフランジによって押さえ付けられることなく、またフランジ間を通して被刺繍布Ｈを挟持することによる過度なテンションが被刺繍布Ｈの折り曲げ箇所（図３参照）にかかることがないことから、被刺繍布Ｈに刺繍枠への取り付け跡は付き難い。
【００２０】
次に、図４乃至図６に基づいて本考案に係る刺繍枠の第２の実施形態について説明する。図４は本考案に係る刺繍枠の第２の実施形態を示す斜視図であり、図５は本考案に係る刺繍枠の第２の実施形態を示す平面図であり、図６は本考案に係る刺繍枠の第２の実施形態を示す側断面図である。これら図４乃至図６に示すように、本第２実施形態は上述した第１実施形態の刺繍枠と比較すると、第１保持体１の外側に嵌着される第３保持体４を備えている点が異なる。ここに示した第１保持体１及び第２保持体２は上記した第１実施形態と同様であるから、ここでの説明を省略する。
【００２１】
第３保持体４は、第１保持体１と同様に環状であって該第１保持体１の外側に互いの周壁面が重ね合わされるようにして嵌め込むことが可能となっている。この第３保持体４は、例えば合成樹脂を材質として径方向において一部で切り離された環状（枠状）に成形されてなり、またその断面形状は第１保持体１と同様の略矩形をなしている。そして、この第３保持体４の切り離されて対向する開放端を跨るようにして調整ネジ５が設けてあり（図５参照）、この調整ネジ５を回転することによって前記開放端の間隔を調整して当該第３保持体４の周方向の長さを変更できるようになっている。つまり、ここに示す第１保持体１、第３保持体４は上記した例えば特許文献１に記載の従来の刺繍枠における内枠と外枠にそれぞれ相当するものである。ただし、図４乃至図６から理解できるように、本実施形態に示す第１保持体１及び第３保持体４のそれぞれには、従来見られるような嵌合時に互いに重なるフランジが形成されない。
【００２２】
この実施形態では、第１保持体１と第３保持体４とによって、被刺繍布Ｈを補強するための紙やビニール等からなる面状（シート状）の芯地Ｓが展張保持され、被刺繍布Ｈはこの芯地Ｓの上方に重ね合わされるようにして第１保持体１と第２保持体２とによって展張保持されるようになっている（図６参照）。すなわち、この実施形態に示した刺繍枠に被刺繍布Ｈを展張保持するときは、先ず第３保持体４の上に芯地Ｓを載置し、それから第３保持体４の内側に第１保持体１を嵌め込むことによって芯地Ｓを展張保持させる。次に、上述したように第１保持体１の上に被刺繍布Ｈを載置し、２つの第２保持体２を順に１つずつ例えば一端側から第１保持体１の内周に沿うようにして変形させながら図５に示すように第１保持体１の内側に配置し、磁石３による磁力によって第２保持体２を第１保持体１の内周に吸着させる。これにより被刺繍布Ｈは、図６に示すように第１保持体１の内周面と２つの第２保持体２の外側面との間で挟持され、芯地Ｓの上面に支えられた状態で展張保持される。
【００２３】
こうした実施形態でも、上記第１実施形態と同様に、被刺繍布Ｈに関しては、刺繍枠へ取り付ける際に外枠に内枠を嵌め込むことがなく、被刺繍布Ｈは第１保持体１及び第２保持体２の各保持面と擦れることがないので、被刺繍布Ｈに傷が付いたり、被刺繍布Ｈの風合いが損なわれたりすることは生じない。また、被刺繍布Ｈを第１保持体１の内周面と２つの第２保持体２の外側面との間のみにおいて磁力によって被刺繍布Ｈを挟持させることから、被刺繍布Ｈに刺繍枠への取り付け跡が付き難い。
【００２４】
なお、芯地Ｓを展張保持する際には、従来と同様にして、第３保持体４の調整ネジ５により第１保持体１に対する嵌め合いが強くなるように調整するとよい。こうすると、芯地Ｓが刺繍枠により強固に保持されて、この強固に保持された芯地Ｓにより被刺繍布Ｈが下方から支えられることになる。したがって、被刺繍布Ｈが特に刺繍時の刺繍枠の移動によって変形し易いものである場合や、刺繍の進行に伴って縫い縮みを生じ易いものである場合などであっても、適正に刺繍を施すことができることとなる。
【００２５】
ところで、この第２実施形態においては、従来の刺繍枠と同様に第３保持体４の内側に第１保持体１を嵌め込むときに芯地Ｓは第３保持体４の内周面と第１保持体１の外周面に強く擦れることとなる。しかしながら、周知のように芯地Ｓは刺繍後に刺繍部分以外は取り除かれるため、芯地Ｓの第１保持体１と第３保持体４とに挟持される部分に傷が付いたり、取り付け跡が付いたりしても何ら問題ない。
【００２６】
次に、図７乃至図９に基づいて本考案に係る刺繍枠の第３の実施形態について説明する。図７は本考案に係る刺繍枠の第３の実施形態を示す斜視図であり、図８は本考案に係る刺繍枠の第３の実施形態を示す平面図であり、図９は本考案に係る刺繍枠の第３の実施形態を示す側断面図である。なお、図７において被刺繍布Ｈ、芯地Ｓは第２実施形態と同じ配置（図４参照）でよいためにそれらの図示を省略してある。
【００２７】
この実施形態において、第３保持体８は切り離された部分（つまり開放端、図４参照）を有しない環状（枠状）に成形してあり、その内周長は第１保持体６の外周長より少し余裕をもって大きく設定してある。これにより、芯地Ｓの厚さが大きい場合でも第３保持体８の内側に第１保持体６を嵌め込んで、第３保持体８と第１保持体６とによって芯地Ｓを強固に展張保持させることができる。
【００２８】
ただし、厚さがある程度ある芯地Ｓの場合には確実に展張保持できるのでよいが、そうでない場合には保持が緩く芯地Ｓを確実に展張保持できない恐れがある。これを防止するために、本実施形態に示した第１保持体６には上端部に外側に延びる鍔部６ａ（フランジ）を形成してなり、この鍔部６ａの四方の下面に長尺状の磁石７をそれぞれ埋設してある。一方、第３保持体８には、嵌合時に第１保持体６の鍔部６ａに設けられた磁石７の配置位置に対応する四方の位置に、前記磁石７に吸着する例えば鉄等の磁性体金属を材質とするプレート９が固定されてなる。ただし、この第３保持体８には第１保持体６との嵌合時に第１保持体６の鍔部６ａに重なる従来見られるようなフランジは形成されない。なお、第１保持体６の上記した以外は第１実施形態又は第２実施形態に示した第１保持体１と同様であり、第２保持体２については先の実施形態のものと全く同じであることから、これらの説明については省略する。
【００２９】
本実施形態に示した刺繍枠に被刺繍布Ｈを展張保持するときは、先ず第３保持体８の上に芯地Ｓを載置しておき、次に第３保持体８の内側に第１保持体６を嵌め込む。このとき、第３保持体８の上面が第１保持体６の鍔部６ａに対向することから、第３保持体８のプレート９は第１保持体６の磁石７に吸着される。これにより、芯地Ｓは、第３保持体８の内周面と第１保持体６の外周面との間及び第３保持体８の上面と第１保持体６の鍔部６ａの下面との間を通ってクランク状に折り曲げられた状態で挟持されて展張保持される（図９参照）。次に第１保持体６の上に被刺繍布Ｈを載置し、既に説明したように、２つの第２保持体２を第１保持体６の内周壁面に吸着させることにより、被刺繍布Ｈを図９に示すように第１保持体６の内周面と２つの第２保持体２の外側面との間で挟持して展張保持する。この場合、被刺繍布Ｈは芯地Ｓの上面に支えられた状態で展張保持される。
【００３０】
この実施形態では、第１保持体６と第３保持体８とを磁石７の磁力により取り付けるようにし、第３保持体８は切り離された部分を有しない環状に形成してある。これにより、上記した第２実施形態のように調整ネジ５を備えた第３保持体４では、展張保持する芯地Ｓの厚さに応じて調整ネジ５にて周方向の長さを調整する必要があるが、本第３実施形態ではその調整が不要であるにもかかわらず、芯地Ｓを確実に展張保持することができるようになる。
【００３１】
こうした実施形態でも、上記第１実施形態や第２実施形態と同様に、被刺繍布Ｈに関しては、刺繍枠へ取り付ける際に外枠に内枠を嵌め込むことがなく、被刺繍布Ｈは第１保持体６及び第２保持体２の各保持面と擦れることがないので、被刺繍布Ｈに傷が付いたり、被刺繍布Ｈの風合いが損なわれたりすることは生じない。また、被刺繍布Ｈを第１保持体６の内周面と２つの第２保持体２の外側面との間のみにおいて磁力によって被刺繍布Ｈを挟持させることから、被刺繍布Ｈに刺繍枠への取り付け跡が付き難い。
【００３２】
本実施形態にて示した刺繍枠は一例であって、刺繍枠は種々の形状、サイズのものがあり、被刺繍布Ｈや刺繍のデザイン（大きさ）に応じたものを使用するようになっていてよい。ところで、この刺繍枠における第１保持体１、６がどのような形状、サイズのものであっても、第２保持体２は第１保持体１、６の内周に沿うようにして変形されて吸着されるため、どのような形状、サイズの第１保持体１、６にも対応できる。
【００３３】
なお、上述した各実施形態においては、第２保持体２を第１保持体１、６の内周の半分より少し短い長さのものを２つ使用した形態としたが、これに限られるものではない。例えば、第１保持体１、６の内周より少し短い長さのものを１つだけ使用するようにしてもよいし、あるいは図１０又は図１１に示すように第２保持体１０を複数（これらの例では４つ）使用する形態としてもよい。その場合、第２保持体１０は、図１０又は図１１に示すような第１保持体１、６内周の適宜の位置に配置することができる。
【００３４】
なお、第２保持体２の断面は矩形に限らず、三角形や凸形などの任意の形状であってもよい。ただし、少なくとも第１保持体１の内周に対向する一面が凹凸等のない平面状に成形されている必要がある。
なお、上述した第３実施形態において磁石３と磁石７を別々に構成した例を示したがこれに限らず、磁石３と磁石７を１つの磁石で共有するように構成してもよい。
なお、第１保持体１、６の内周面に斜度を設けてあってもよい。また、第１保持体１、６の内周面は平面状に限らず曲線状であってもよい。ただし、こうした場合であっても、第１保持体１、６の内周面に沿って磁力により配置できるのは勿論のこと、第１保持体１、６の内周面との接触面積ができる限りにおいて大きくなるように、第２保持体２の形状等を形成する必要があることは言うまでもない。
【符号の説明】
【００３５】
１（６）…第１保持体、２…第２保持体、３（７）…磁石、４（８）…第３保持体、５…調整ネジ、６ａ…鍔部、９…プレート、Ｈ…被刺繍布、Ｓ…芯地
【図１】
0003181654.tif 000003
【図２】
0003181654.tif 000004
【図３】
0003181654.tif 000005
【図４】
0003181654.tif 000006
【図５】
0003181654.tif 000007
【図６】
0003181654.tif 000008
【図７】
0003181654.tif 000009
【図８】
0003181654.tif 000010
【図９】
0003181654.tif 000011
【図１０】
0003181654.tif 000012
【図１１】
0003181654.tif 000013